(57)【特許請求の範囲】
【請求項１】
一般テレビ方式と高品位テレビ方式の両テレビ信号を受信再生し、かつテレビ信号に多重される文字情報信号も受信再生できるテレビ受像機において、
ディジタル信号処理により一般テレビ信号を高品位テレビ信号に近似した信号に変換するためのディジタル信号処理手段と、
このディジタル信号処理手段でフォーマット変換するために、テレビ信号の映像を構成する輝度信号と色差信号をアナログ／ディジタル変換するＮビットの分解能を有するアナログ／ディジタル変換手段と、
前記テレビ信号に多重される文字情報信号を抽出して、Ｒ、Ｇ、Ｂの文字情報信号としてデコードするデコーダと、
前記デコーダによりデコードされたＲ、Ｇ、Ｂの文字情報信号をアナログ／ディジタル変換するＮ／２ビット以下の分解能を有するアナログ／ディジタル変換手段と、
前記ディジタル信号に変換された前記映像信号の輝度信号と色差信号、または文字情報信号のいずれかを前記ディジタル信号処理手段に選択的に入力する選択手段と、
前記ディジタル信号処理手段でフォーマット変換後の前記映像信号の輝度信号と色差信号、及び文字情報信号をディジタル・アナログ変換するディジタル／アナログ変換手段とからなり、
前記ディジタル信号処理手段により前記映像信号と文字情報信号のフォーマットを変換することを特徴とするテレビ受像機の映像信号処理装置。
【請求項２】
前記ディジタル信号処理手段でフォーマット変換後の映像信号の輝度信号Ｙと色差信号Ｂ−ＹとＲ−Ｙをディジタル／アナログ変換する映像信号ディジタル／アナログ変換手段と、
前記ディジタル信号処理手段でフォーマット変換後の３原色の文字情報信号をディジタル／アナログ変換する文字情報信号ディジタル・アナログ変換手段と、
前記映像信号ディジタル・アナログ変換手段で変換されたアナログの映像信号から３原色の映像色信号を生成するマトリクス手段と、
前記３原色の映像信号と文字情報信号のいずれを表示手段に供給するかを選択するＲＧＢ選択手段を有してなる請求項１に記載のテレビ受像機の映像信号処理装置。
【請求項３】
前記映像信号から復調された輝度信号Ｙと色差信号Ｒ−ＹとＢ−Ｙ、及び前記文字情報信号からデコードされた文字情報信号Ｒ、Ｇ、Ｂのいずれかを選択する第１の入力選択手段と、
この第１の選択手段で選択された出力信号をＮビットの分解能でアナログからディジタル信号に変換するアナログ／ディジタル変換手段と
このアナログ／ディジタル変換手段で変換されたディジタル信号のいずれかを前記フォーマット変換用のデイジタル信号処理手段に選択的に入力する第２の選択手段と、
前記第２の選択手段を制御して、Ｎ／２ビット以下の分解能を有するディジタル信号を出力する制御手段とを有し、この制御手段により、第２の選択手段が前記輝度信号Ｙと色差信号Ｒ−Ｙ、Ｂ−Ｙを出力する際には、Ｎビットの分解能を有した信号とし、前記文字情報信号Ｒ、Ｇ、Ｂを出力する際は、Ｎ／２ビット以下の分解能を有した信号とすることを特徴とした請求項１記載のテレビ受像機の映像信号処理装置。
【請求項４】
前記フォーマット変換用ディジタル信号処理手段でフォーマット変換された前記輝度信号Ｙと色差信号Ｒ−Ｙ、Ｂ−Ｙ、ならびに文字情報信号Ｒ、Ｇ、Ｂをディジタル信号からアナログ信号に変換するディジタル／アナログ変換手段と、
前記ディジタル／アナログ変換手段から文字情報信号Ｒ、Ｂを出力する際にＮ／２ビットの分解能を有する信号を出力するようにデイジタル／アナログ手段を制御する制御手段と、
前記ディジタル信号処理手段から前記ディジタル／アナログ変換手段に出力される信号が文字情報信号である場合に、前記色差信号Ｒ−Ｙ、Ｂ−Ｙが前記ディジタル／アナログ変換手段に出力されないように阻止する阻止手段とを有する請求項１記載のテレビ受像機の映像信号処理装置。
【請求項５】
前記文字情報信号に含まれる文字情報信号期間と背景輝度を制御する信号を前記文字情報信号Ｇの残余のビットに割り当ててアナログからディジタルに変換し、この文字情報信号Ｇと文字情報信号期間と背景輝度の信号をともに前記ディジタル信号処理手段でフォーマット変換後、前記文字情報信号Ｇは前記ディジタル／アナログ変換手段に出力し、前記文字情報信号期間と背景輝度の信号は前記ディジタル／アナログ変換手段への供給を阻止し、フォーマット変換された状態で抽出する選択手段とを有してなる請求項１記載のテレビ受像機の映像信号処理装置。
【発明の詳細な説明】
【０００１】
【発明の属する技術分野】
本発明は、テレビ受像機において、テレビジョン放送信号により伝送される映像・音声信号及び文字情報信号を高品位に受信再生可能とするテレビ受像機の映像処理装置に関するものである。
【０００２】
【従来の技術】
近年、映像機器のマルチメディア化の進展が著しく、かつ電波の有効活用の観点からテレビ信号に多畳されて文字・図形などの情報も伝送受信するテレビジョンシステムも実用化され、さらにそれら映像・音声及び文字・図形などを受信再生する機器としてのテレビ受像機は、高い品位の映像・音声及び文字・図形の再生能力が求められている。
【０００３】
現在、国内において採用されているカラーテレビジョンシステムには、ＮＴＳＣ方式のカラーテレビシステムとこのカラーテレビシステムの信号に多重する文字多重システム（以下、一般テレビ方式という）と、高い品位の映像と音声を伝送再生する方式として、ハイビジョンカラーテレビ（ＨＤＴＶ＝High Definition TV）方式、及びＥＤＴＶ(Extended Definition TV)方式（以下、高品位テレビ方式という）が存在する。これら両テレビ方式の伝送信号を同一の受像機で受信再生するテレビ受像機も実用化普及されている。
【０００４】
最初に、図６に示す一般テレビ方式のＮＴＳＣ方式のカラーテレビ信号とその信号に多重される文字多重信号を受信再生する機能を内蔵したテレビ受像機の映像・色信号と文字多重信号を再生する映像処理装置の部分について説明する。
【０００５】
図示されていない受信再生手段でテレビ信号中のテレビ複合映像信号から輝度信号Ｙと色信号Ｃが分離され、色信号Ｃは色復調手段１０１で色差信号Ｒ−ＹとＢ−Ｙ信号を復調し、マトリクス手段１０２で前記輝度信号Ｙと色差信号Ｒ−Ｙ、Ｂ−Ｙ信号から３原色の赤Ｒ、緑Ｇ、青Ｂの色信号を生成する。一方前記複合映像信号の垂直帰線期間中に多重された文字情報信号は、文字多重信号デコーダ手段１０３で文字・図形情報を復調し、この文字・図形情報を赤Ｒ、緑Ｒ、青Ｂの信号として生成する。生成された映像情報のＲ、Ｇ、Ｂ信号と文字多重のＲ、Ｇ、Ｂ信号とは、ＲＧＢスイッチ手段１０４に印加され、このＲＧＢスイッチ手段１０４のスイッチングにより、いずれかの信号が選択されて、図示していないブラウン管等の表示手段によって映像または文字多重の情報を表示する。このＮＴＳＣ方式は、走査線数５２５本、フィールド周波数６０Ｈｚ、ライン周波数１５．７５ＫＨｚの飛越走査方式が採用されている。
【０００６】
一方、テレビ映像の高い品位のシステムとして、前記ＨＤＴＶとＥＤＴＶの方式が開発実用化され、ＨＤＴＶ方式は、走査線数１、１２５本、フィールド周波数６０Ｈｚ、ライン周波数３３．７５ＫＨｚが採用され、ＥＤＴＶ方式は、走査線数とフィールド周波数はＮＴＳＣ方式と同じであるが、順次走査が採用されている。このような高品位のテレビ信号を受信再生できるテレビ受像機（以下、高品位ＴＶ受像機という）に、前記ＮＴＳＣ方式の映像信号とこれに多重された文字多重信号も受信再生する機能を内蔵した文字多重内蔵高品位ＴＶ受像機も開発実用化されている。この文字多重内蔵高品位ＴＶ受像機の映像信号と文字多重信号の処理手段について、図７を用いて説明する。
【０００７】
前記文字多重内蔵高品位ＴＶ受像機において、ＮＴＳＣ方式とＨＤＴＶまたはＥＤＴＶ方式では、走査線数の相違により、偏向周波数も相違するために、その受信再生する受信信号方式毎に偏向手段を切り替えるのが望ましい。一方、テレビ受像機にはブラウン管を動作させるための高電圧手段が必要であり、この高電圧手段は走査線数、つまりライン周波数（水平偏向周波数）に依存しているために、偏向手段の切り替え、特に水平偏向周波数の切り替えにはリレーなどを用いてることが最も一般的であるが、設計及び使用部品の選定が難しい不具合いがある。このため、偏向手段は高品位テレビの方式に固定し、ＮＴＳＣ方式の映像及び文字多重信号をＨＤＴＶまたはＥＤＴＶのいずれかの方式に類似した周波数フォーマットに変換する方法が採用されている。
【０００８】
図７は、ＮＴＳＣ方式の信号を高品位のテレビ方式に近似するように変換するための信号処理手段を示したもので、図示されていない複合映像信号再生処理手段により映像のアナログ輝度信号Ｙと色信号Ｃが生成される。再生された色信号Ｃは、色復調手段１０６で色差信号Ｒ−Ｙ、Ｂ−Ｙが復調される。色信号Ｃの帯域は、輝度信号Ｙの１／２以下のために色差信号Ｒ−Ｙ、Ｂ−Ｙはマルチプレクス手段１０７にて時分割処理されて、その時分割処理された信号は、後述するフォーマット変換をディジタル処理により行うために、アナログ／ディジタル変換（Ａ／Ｄ変換という）するＡ／Ｄ変換手段１０８にてディジタル信号に変換される。一方、輝度信号Ｙも、Ａ／Ｄ変換手段１０９によりディジタル信号に変換される。ディジタル信号に変換された色差信号と輝度信号は、ディジタル信号処理手段１１０に導かれ、フォーマット変換される。このフォーマット変換の方法としては種々あるが、フィールド周波数を２倍にする方法を例にして説明する。
【０００９】
つまり、ＨＤＴＶ方式の偏向周波数は水平が３３．７５ＫＨｚ、垂直が６０Ｈｚに対して、ＮＴＳＣ方式の偏向周波数は水平が１５．７５ＫＨｚ、垂直が６０Ｈｚであることから、ＮＴＳＣ方式のフィールド周波数を２倍にすると水平周波数も２倍とすることができ、水平偏向周波数１５．７５ＫＨｚの２倍の約３１．５ＫＨｚとなり、これはＨＤＴＶ方式の３３．７５ＫＨｚに近似した値となる。この時フィールド周波数は１２０ＨｚとなりＨＤＴＶ方式のフィールド周波数の２倍になるが、垂直偏向手段は水平偏向手段に比べて動作電圧も十分低いために回路設計及び使用部品などの問題も少なく容易に実現できる。よって、このディジタル信号処理手段１１０で前記色差信号Ｒ−Ｙ、Ｂ−Ｙと輝度信号Ｙをフォーマット変換を行う。なお、このディジタル信号処理手段１１０は、マイクロコンピュータを用いて構成され、かつそのマイクロコンピュータに内蔵または外部に設けられたメモリ手段１１１に記憶されているフォーマット変換手順及び読み出しクロックなどを用いてフォーマット変換される。このディジタル信号処理手段１１０でフォーマット変換された色差信号Ｒ−Ｙ、Ｂ−Ｙと輝度信号Ｙは、それぞれディジタルからアナログ信号に変換（Ｄ／Ａ変換）するＤ／Ａ変換手段１１２、１１３、１１４に導かれアナログ信号に変換後、マトリクス手段１１５により図示されていないブラウン管などの表示手段に供給する３原色の赤Ｒ、緑Ｇ、青Ｂの色信号を生成し、かつＲＧＢ選択スイッチ手段１１６に出力する。
【００１０】
一方、ＮＴＳＣ方式の複合映像信号に多重されている文字多重信号は、文字多重デコーダ手段１１７により文字・図形情報がデコードされ、赤Ｒ、緑Ｇ、青Ｂの文字情報として出力される。この文字多重信号の水平偏向周波数も１５．７５ＫＨｚであるために、前記色差信号Ｒ−Ｙ、Ｂ−Ｙおよび輝度信号Ｙと同様にフォーマット変換を行う必要がある。この文字情報の赤Ｒ、緑Ｇ、赤Ｂの各信号はそれぞれ同じ周波数帯域を必要とし、さらに色差信号Ｒ−Ｙ、Ｂ−Ｙよりも広い帯域を有するために、各文字情報の赤Ｒ、緑Ｇ、青Ｂに対応するＡ／Ｄ変換手段１１８、１１９、１２０に導きディジタル信号に変換する。ディジタル信号に変換された文字情報ＲＧＢ信号は、ディジタル信号処理手段１２１に出力され、前記色差信号Ｒ−Ｙ、Ｂ−Ｙと輝度信号Ｙと同様に水平周波数３１．５ＫＨｚにフォーマット変換される。なお、文字情報のＲＧＢ信号のフォーマット変換はＲＧＢの各信号毎にメモリが必要となるために、ディジタル信号処理手段１２１に接続されるメモリ手段１２２は、前記メモリ手段１１１とはその容量が異なる。前記ディジタル信号処理手段１２１でフォーマット変換された文字情報のＲＧＢのディジタル信号をアナログ信号に変換するＤ／Ａ変換手段１２３、１２４、１２５に各々導き、そのＤ／Ａ変換手段１２３、１２４、１２５の出力のＲＧＢ各文字情報信号は、ＲＧＢ選択スイッチ手段１１６に印加される。このＲＧＢ選択スイッチ手段１１６は、前記色差信号Ｒ−Ｙ、Ｂ−Ｙと輝度信号から生成した３原色ＲＧＢ信号と、文字情報ＲＧＢ信号のいずれをブラウン管などに表示するかを選択する。
【００１１】
このような構成の文字多重内蔵高品位ＴＶ受像機を用いることにより、ＮＴＳＣ方式の信号に多重される文字情報信号の水平ライン数が倍増することになり、ブラウン管に表示される文字・図形が約倍のライン数で表示されるために、鮮明な表示ができる利点を有している。
【００１２】
また、前記色差信号の処理手段で時分割するマルチプレクス手段の方法として、図８で示す方法もある。なお、この図８は図７と同一部分は同一符号を付して説明する。色信号Ｃから色差信号Ｒ−Ｙ、Ｂ−Ｙを色復調手段１０１で復調後、色差信号Ｒ−ＹとＢ−Ｙを各々Ａ／Ｄ変換手段２０１、２０２でアナログからディジタル信号に変換し、ディジタルに変換された色差信号Ｒ−Ｙ、Ｂ−Ｙをセレクタ手段２０３を介して、フォーマット変換するためのディジタル信号処理手段１１６に導かれる。また輝度信号Ｙは同様にＡ／Ｄ変換手段１０９にて、アナログからディジタル信号に変換され、前記ディジタル信号処理手段１１６に導かれている。前記Ａ／Ｄ変換手段２０１、２０２、１０９には、前記ディジタル信号処理手段１１６の動作に用いているクロックと同じクロック信号により、Ａ／Ｄ変換される。さらに前記ディジタル信号処理手段１１６からのクロック信号は１／２に分周する分周手段２０４を介して、各Ａ／Ｄ変換手段２０１、２０２に印加されており、この分周手段２０４で１／２に分周されたクロック信号でセレクタ手段２０３を切り替えて時分割された色差信号Ｒ−Ｙ、Ｂ−Ｙを輝度信号Ｙとともにディジタル信号処理手段１１６に導き、フォーマット変換を行うものである。
【００１３】
前記したいずれの方法の文字多重内蔵高品位ＴＶ受像機には、映像信号処理と文字多重信号処理の両方にフォーマット変換を行うためのディジタル信号処理手段を設ける必要があり、信号処理の回路手段が増え、コストの高騰要因となる課題がある。
【００１４】
【発明が解決しようとする課題】
一般テレビ方式と高品位テレビ方式の両方式を受信再生できるテレビ受像機において、一般テレビ方式の信号を高品位テレビ方式の信号に近似した信号フォーマットに変換させる際に、一般テレビ方式の色差と輝度信号のフォーマット変換と、文字多重信号のフォーマット変換とを別々に設ける必要があり、信号処理回路手段の増加とコストの高騰のとなる課題がある。
【００１５】
本発明は、文字多重内蔵高品位テレビ受像機において、一般テレビ信号をフォーマット変換する際に、映像信号を構成する輝度と色差信号をＮビットのディジタル信号に変換し、文字情報信号はＲ、Ｇ、Ｂの信号としてデコード処理した後にＮ／２ビットのディジタル信号に変換し、ともに共有のディジタル信号処理手段によりフォーマット変換を可能とし、かつ、フォーマット変換前のアナログ信号からディジタル信号への変換、及びフォーマット変換後のディジタル信号からアナログ信号への変換も共有の回路構成とする。
【００１６】
【発明の実施の形態】
以下、図面を参照して本発明の実施の形態について詳細に説明する。図１は本発明に係る色差、輝度及び文字多重信号を処理するテレビ受像機の映像信号処理装置の一実施の形態を示す回路構成図である。なお、前記従来の技術内容を説明した図７と同じ部分は同一の符号を付し、さらに文字多重内蔵高品位ＴＶ受像機の例を用いて説明する。
【００１７】
図示されていないテレビ信号受信再生手段により、受信された一般テレビ方式の複合映像信号から、色信号Ｃと輝度信号Ｙが分離再生される。この分離再生された色信号Ｃは、色復調手段１０６にて色差信号Ｒ−Ｙ、Ｂ−Ｙが復調生成される。この色復調手段１０６で復調された色差信号Ｒ−Ｙ、Ｂ−Ｙはマルチプレクサ手段１０７に印加され時分割され、さらにフォーマット変換を容易にするために、ディジタル信号に変換するＡ／Ｄ変換手段１０８に導かれ、このＡ／Ｄ変換手段１０８の出力は第１の選択手段１１に印加される。輝度信号Ｙは同様にアナログからディジタル信号に変換するＡ／Ｄ変換手段１０９を介して、第２の選択手段１２にディジタル信号として印加される。
【００１８】
次に、前記一般テレビ方式の複合映像信号に多重されている文字多重信号は、文字多重デコーダ１１７にて、文字情報信号の青Ｒ、緑Ｇ、青Ｂの信号としてデコードし、ディジタルの各ＲＧＢ文字情報信号に変換するＡ／Ｄ変換手段１１８、１１９、１２０に導かれる。このＲＧＢ文字情報信号のうち、赤Ｒと青Ｂの文字情報信号は第１の選択手段１１に出力され、緑Ｇの文字情報信号は第２の選択手段１２に出力される。前記色差信号Ｒ−Ｙ、Ｂ−Ｙと輝度信号ＹをＡ／Ｄ変換するＡ／Ｄ変換手段１０８、１０９は、８ビットのデータに変換し、ＲＧＢ文字情報信号はＡ／Ｄ変換手段１１８、１１９、１２０で４ビットのデータに変換される。つまり、文字情報信号の赤Ｒ、緑Ｇ、赤Ｂの信号は同一の周波数帯域を有しており、さらに文字情報信号はディジタル信号からデコードされている。
【００１９】
一方色差信号Ｒ−Ｙ、Ｂ−Ｙは輝度信号Ｙよりも周波数帯域が狭い信号形態となっており、文字情報の階調再現性能は、色差信号Ｒ−Ｙ、Ｂ−Ｙと輝度信号Ｙで生成される映像の階調再現性能に比して高くする必要はなく、むしろ再生表示される文字・図形の判別性能が損なわれない範囲で階調性能は低くても良い。よって、色差信号Ｒ−Ｙ、Ｂ−Ｙと輝度信号ＹのＡ／Ｄ変換ビット数に対して、ＲＧＢの各文字情報信号のＡ／Ｄ変換ビット数を１／２にしても何等文字情報の階調性能に影響は与えることはない。
【００２０】
このようにして、各Ａ／Ｄ変換手段１０８、１０９、１１８、１１９、１２０でデータ変換されたデータフォーマットを、図２に示している。この図に示されるように、輝度信号Ｙは図２（ａ）に示す８ビットのデータ構造とし、色差信号Ｒ−Ｙ、Ｂ−Ｙはマルチプレクス手段１０７で時分割されて、図２（ｂ）に示す８ビットのデータ構造とする。一方、文字情報信号の各Ｒ、Ｇ、Ｂは共に図２（ｃ、ｄ）に示す４ビットのデータ構造とする。
【００２１】
このようなデータ構造の各ディジタル信号において、一般テレビ方式の映像を再生する場合には、時分割された図２（ｂ）の色差信号Ｒ−Ｙ、Ｂ−Ｙは第１の選択手段１１で選択され、図２（ａ）の輝度信号Ｙは第２の選択手段１２で選択されて、ディジタル信号処理手段１３に取り込まれ、このディジタル信号処理手段１３で、ＨＤＴＶ方式に近似する２倍のフィールド周波数にフォーマット変換される。例えば水平周波数が２倍になる（ダブルスキャンする）場合を考えると、信号帯域を落とすことなくフォーマット変換を実現させるためにはサンプルレートを２倍に設定すれば、データフォーマットを変えることなく、単にデータ期間を１／２にすることで実現可能となる。前記フォーマット変換された色差信号Ｒ−Ｙ、Ｂ−Ｙと輝度信号Ｙは、ディジタルからアナログ信号に変換するＤ／Ａ変換手段１１２、１１３、１１４に各々導かれ、このＤ／Ａ変換手段１１２、１１３、１１４に図２（ｅ）に示すクロック信号を与えて、アナログの色差信号Ｒ−Ｙ、Ｂ−Ｙと輝度信号Ｙを抽出し、マトリクス手段１１５に印加し、色信号Ｒ、Ｇ、Ｂを生成してＲＧＢ選択スイッチ手段１１６を介して、図示していないブラウン管などの表示手段に出力する。
【００２２】
次に、一般テレビ方式の信号に多重されている文字情報信号を再生表示する場合、図２（ｄ）の文字情報信号ＲとＢの各４ビットを加算した計８ビットの信号が第１の選択手段１１に供給選択され、図２（ｃ）の文字情報信号Ｇが第２の選択手段１２に供給選択されて、ディジタル信号処理手段１３に取り込まれ、このディジタル信号処理手段１３で、前記映像信号の場合と同様にＨＤＴＶ方式に近似する２倍のフィールド周波数にフォーマット変換される。前記フォーマット変換された文字情報信号Ｒ、Ｇ、Ｂは、ディジタルからアナログ信号に変換するＤ／Ａ変換手段１２３、１２４、１２５に供給され、前記色差信号Ｒ−Ｙ、Ｂ−Ｙと輝度信号Ｙを抽出したクロック信号の１／２のクロック信号により文字情報信号Ｒ、Ｇ、Ｂが生成出力される。このＤ／Ａ変換手段１２３、１２４、１２５に導かれる文字情報信号Ｒ、Ｇ、Ｂは、ディジタル信号処理手段１３に第１と第２の選択手段１１、１２を介して印加されたビット数と同じビット数で十分であるため、前記ディジタル信号処理手段１３からの出力の色差信号Ｒ−Ｙ、Ｂ−Ｙと輝度信号Ｙの各８ビットの半分の４ビットの出力を抽出して、アナログ信号に変換し、ＲＧＢ選択スイッチ手段１１６を介して、図示していないブラウン管などの表示手段に出力する。
【００２３】
なお、ディジタル信号処理手段１３は、マイクロコンピュータなどで構成され、このマイクロコンピュータに内蔵または外部に接続されたメモリ手段１４に記録されているフォーマット変換手段より前記フォーマット変換が行われている。以上、説明したように本発明は、ディジタル信号処理手段により一般テレビ方式の映像信号をＮビットの分解能でフォーマット変換し、文字情報信号の分解能をＮ／２ビット以下で抽出することにより、単一のディジタル信号処理手段でフォーマット変換が可能となった。
【００２４】
次に、本発明の他の実施形態として、前記ディジタル信号処理手段１３に入力する映像信号と文字情報信号の生成手段について、図３を用いて説明する。この図３の他の実施形態は、図１の点線１５、１６で示した部分に該当し、図１と同一部分は同一の符号を付している。
【００２５】
映像信号の中の色信号Ｃは色復調手段１０６にて色差信号Ｒ−Ｙ、Ｂ−Ｙに復調され、色差信号Ｒ−Ｙは第１のアナログ選択手段２１に、色差信号Ｂ−Ｙは第２のアナログ選択手段２２に導かれ、映像信号中の輝度信号Ｙは第３のアナログ選択手段２３に導かれる。さらに、文字多重信号は文字多重デコーダ手段１１７で文字情報信号Ｒ、Ｇ、Ｂをデコードして、文字情報信号Ｒは第１のアナログ選択手段２１へ、文字情報信号Ｂは第２のアナログ選択手段２２へ、文字情報信号Ｇは第３のアナログ選択手段２３へと導かれる。この第１から第３のアナログ選択手段２１〜２３の出力は第１から第３のＡ／Ｄ変換手段２４〜２６に接続されており、第１のＡ／Ｄ変換手段２４の出力と第２のＡ／Ｄ変換手段２５は第１の選択手段２７と第２の選択手段２８を介してディジタル信号処理手段１３にそれぞれ接続され、第３のＡ／Ｄ変換手段２６の出力は直接ディジタル信号処理手段１３に接続されている。さらに前記第１から第３のＡ／Ｄ変換手段２４〜２６にはディジタル信号処理手段１３からのクロック信号が供給されており、かつ前記第１と第２の選択手段２７、２８にも前記クロック信号が供給されているが、この第１と第２の選択手段２７、２８に分周手段２９で分周したクロック信号を供給するか、分周しないクロック信号を供給するかを選択するスイッチ手段３０が接続されている。
【００２６】
このような構成のアナログ信号からディジタル信号の変換の変換手段において、前記第１から第３のアナログ選択手段２１〜２３を切り替えて、色差信号Ｒ−Ｙ、Ｂ−Ｙと輝度信号Ｙ及び文字情報信号Ｒ、Ｇ、Ｂを第１から第３のＡ／Ｄ変換手段２４〜２６に導き、それぞれのアナログ信号をディジタル信号に変換する。そのＡ／Ｄ変換手段２４〜２６でディジタル信号に変換された信号のうち、色差信号Ｒ−Ｙ、Ｂ−Ｙと文字情報信号Ｒ，Ｂは第１と第２の選択手段２７、２８により上位４ビットと下位４ビットに分割されてディジタル信号処理手段１３に導かれる。この第１と第２の選択手段２７、２８には、色差信号Ｒ−Ｙ、Ｂ−Ｙを選択する際にはディジタル信号処理手段１３からのクロック信号を分周手段２９にて分周したクロック周波数がスイッチ手段３０を介して供給され、文字情報信号Ｒ、Ｂを選択する際にはディジタル信号処理手段１３からのクロック信号が分周されないままスイッチ手段３０を介して供給され、前記図２で説明したデータフォーマットの信号を生成して、前記ディジタル信号処理手段１３に出力して、フォーマット変換が行われる。このような回路構成を用いると色差信号と輝度信号及び文字情報信号をディジタル変換するためのＡ／Ｄ変換手段を共用することができ、前記従来の技術の図７、８で説明したり、あるいは前記本発明の図１で説明したように、映像信号と文字多重信号のアナログからディジタル信号に変換するＡ／Ｄ変換手段を別に設ける必要がなく、一層の回路構成の簡略が可能となる。
【００２７】
次に、本発明の図１で説明した回路構成のディジタル信号処理手段１３の出力側に接続されているディジタルからアナログ信号に変換する回路構成（図１の点線１７で示す部分）の他の実施形態を図４を用いて説明する。なお、図１と同一部分は同一符号を付している。
【００２８】
ディジタル信号処理手段１３でフォーマット変換された色差信号Ｒ−Ｙと文字情報信号Ｒの出力端子には、第１のＤ／Ａ変換手段３１が接続され、色差信号Ｂ−Ｙと文字情報信号Ｂの出力端子には、第２のＤ／Ａ変換手段３２が接続され、輝度信号Ｙと文字情報信号Ｇの出力端子には、第３のＤ／Ａ変換手段３３が接続されている。さらに前記ディジタル信号処理手段１３の色差信号Ｒ−Ｙと文字情報信号Ｒの出力端子と前記第２のＤ／Ａ変換手段３２の間には第１のスイッチ手段３４が接続され、前記ディジタル信号処理手段１３の色差信号Ｂ−Ｙと文字情報信号Ｂの出力端子と第１のＤ／Ａ変換手段３１の間には第２のスイッチ手段３５が接続されている。また、第１と第２のＤ／Ａ変換手段３１、３２には、ディジタル信号処理手段１３からのクロック信号を分周手段３６によって分周されたクロック周波数と、前記ディジタル信号処理手段１３からのクロック信号を分周しないクロック周波数とのいずれかを選択供給する第３と第４のスイッチ手段３７、３８が接続されている。この第１から第３のＤ／Ａ変換手段３１〜３３の出力はマトリクス手段１１５とＲＧＢスイッチ手段１１６に直接接続されている。
【００２９】
このような回路構成において、前記分周手段３６でディジタル信号処理手段１３からのクロック信号を１／２のクロックレートとなるように設定すると、ディジタル信号処理手段１３で前記図２で示したデータフォーマットに変換された色差信号Ｒ−Ｙ、Ｂ−Ｙを出力してアナログの色差信号Ｒ−Ｙ、Ｂ−Ｙを得る際に、第３と第４のスイッチ手段３７、３８で分周手段３６で１／２に分周したクロック周波数とその反転されたクロック周波数により第１のＤ／Ａ変換手段３１の出力に色差信号Ｒ−Ｙを、第２のＤ／Ａ変換手段３２の出力に色差信号Ｂ−Ｙを第３のＤ／Ａ変換手段３３に輝度信号Ｙをそれぞれ生成し、マトリクス手段１１５に印加し、このマトリクス手段１１５で生成した色信号Ｒ、Ｇ、ＢをＲＧＢスイッチ手段１１６へと出力する。
【００３０】
一方、文字情報信号Ｒ、Ｇ、Ｂは、図１で示したＡ／Ｄ変換手段１１８、１１９、１２０でディジタル変換したときと同じサンプルレートであるために、前記第３と第４のスイッチ手段３７、３８は、ディジタル信号処理手段１３からのクロック信号を直接第１と第２のＤ／Ａ変換手段３１、３２に供給するように選択し、かつ、文字情報信号Ｒ、Ｂは、図２に示すようなデータフォーマットであることから４ビットのみが有効であるために、第１と第２のスイッチ手段３４、３５で不要なデータを第１と第２のＤ／Ａ変換手段３１、３２に出力させないように切り替え、第１のＤ／Ａ変換手段３１の出力に文字情報信号Ｒを、第２のＤ／Ａ変換手段３２の出力に文字情報信号Ｂを、第３のＤ／Ａ変換手段３３の出力に文字情報信号Ｇを導き、その文字情報信号Ｒ、Ｇ、ＢをＲＧＢスイッチ手段１１６に供給する。
【００３１】
つまり、従来例の図７及び本発明の図１で説明したディジタル信号でフォーマット変換した後に、色差信号Ｒ−Ｙ、Ｂ−Ｙと輝度信号Ｙ用のＤ／Ａ変換手段と、文字情報信号Ｒ、Ｇ、Ｂ用のＤ／Ａ変換手段を別々に設けていたが、このＤ／Ａ変換手段を共用でき、回路構成の簡素化が実現できる。
【００３２】
さらにまた、本発明の他の実施形態を図５を用いて説明する。なお、この図５は図１の点線１６の部分に該当し、同一部分は同一符号を付している。文字多重信号の信号構成として、文字情報信号期間を示す信号（以下、ＹＳ信号という）も文字・図形情報と共に多重され、かつその文字・図形情報をブラウン管などの表示手段上に表示する際に、背景の映像の輝度を落とすための信号（以下、ＹＭ信号という）も多重されて伝送される。このＹＳとＹＭ信号も当然のごとくフォーマット変換する必要がある。このＹＳとＹＭ信号は２ビットで構成され、かつ前記文字情報信号Ｇは、図２（ｃ）に示すように４ビットで構成されている。このため、文字情報信号Ｇの余りの４ビットに前記ＹＳとＹＭ信号の２ビットを割り当てることが可能となる。文字多重デコーダ手段１１７でデコードされた文字情報信号ＧをＡ／Ｄ変換手段１２０で図２（ｃ）に示すデータフォーマットに変換すると共に、そのデータフォーマットに変換された文字情報信号Ｇに前記文字多重デコーダ手段１１７でデコードしたＹＳ，ＹＭ信号を付加して、スイッチ手段１２を介してディジタル信号処理手段１３に導き、このディジタル信号処理手段１３でフォーマット変換された文字情報信号ＧとＹＳ、ＹＭ信号は、Ｄ／Ａ変換手段２５に出力される。このディジタル信号処理手段１３とＤ／Ａ変換手段２５の間には、ＹＳ，ＹＭ信号を抽出するＹＳ・ＹＭ抽出スイッチ手段４０とＹＳ，ＹＭ信号を前記Ｄ／Ａ変換手段２５への供給を阻止するＹＳ・ＹＭ阻止スイッチ手段４１が設けられている。
【００３３】
このような回路構成において、輝度信号Ｙをフォーマット変換する際には、スイッチ手段１２を動作させて輝度信号Ｙのみをディジタル信号処理手段１３に取り込み、文字情報信号の際には、Ａ／Ｄ変換手段１２０からの文字情報信号ＧとＹＳとＹＭ信号をスイッチ手段１２を介してディジタル信号処理手段１３に取り込む。ディジタル信号処理手段１３でフォーマット変換された信号は、文字情報信号を出力する際には、文字情報信号ＧをＹＳ・ＹＭ阻止スイッチ手段４１を閉鎖してＤ／Ａ変換手段２５に供給し、その文字情報信号Ｇ中のＹＳとＹＭ信号が出力された際には、ＹＳ・ＹＭ抽出スイッチ手段４０を閉鎖し、かつＹＳ・ＹＭ阻止スイッチ手段４１を開放し、このＹＳ・ＹＭ抽出スイッチ手段４０の出力としてＹＳとＹＭ信号を導き出し、図示していない文字情報表示手段に印加する。また、ＹＳ・ＹＭ阻止スイッチ手段４１が開放されているため、ＹＳとＹＭ信号はＤ／Ａ変換手段２５への供給は行われず、必要な文字情報信号ＧのみをＤ／Ａ変換することができる。
【００３４】
以上説明したように、一般テレビ方式と高品位テレビ方式の両方式のテレビ信号を受信再生するテレビ受像機で、かつ一般テレビ方式のテレビ信号に多重される文字情報信号も受信再生するテレビ受像機において、方式の異なる信号をフィールド周波数の高い方式にフォーマット変換する際に、映像信号をＮビットでディジタル処理によりフォーマット変換し、文字情報信号をＮ／２ビットでディジタル処理によりフォーマット変換することにより、映像信号と文字情報信号のディジタルフォーマット変換手段を共用することができ、回路構成が簡素で確実にフォーマット変換が可能となる。
【００３５】
なお、前記説明では高品位テレビ方式の映像信号処理手段については、説明していないが、高品位テレビ信号の処理手段は何等フォーマット変換の必要がないため、従前と同じ高品位テレビ信号の処理手段により映像信号を処理することは明白である。
【００３６】
【発明の効果】
本発明は、文字多重内蔵高品位テレビ受像機において、一般テレビ信号をフォーマット変換する際に、映像信号を構成する輝度と色差信号をＮビットのディジタル信号に変換し、文字情報信号はＮ／２ビットのディジタル信号に変換し、ともに共有のディジタル信号処理手段によりフォーマット変換を可能とすることができ、フォーマット変換手段の簡素化が実現できるとともに、フォーマット変換前のアナログ信号からディジタル信号への変換、及びフォーマット変換後のディジタル信号からアナログ信号への変換も共有化が可能となり、異なるテレビ信号を再生処理する回路構成が求められる前記文字多重内蔵高品位テレビ受像機全体の回路構成の簡素化とコストの低減が実現できる。
【図面の簡単な説明】
【図１】本発明に係るテレビ受像機の映像信号処理装置の一実施の形態を示す回路構成ブロック図である。
【図２】本発明に荷係るテレビ受像機の映像信号処理装置でフォーマット変換されたデータフォーマットを示す波形図である。
【図３】本発明に係るテレビ受像機の映像処理装置でフォーマット変換する前の映像信号をＡ／Ｄ変換する回路構成の他の実施形態を示す回路構成ブロック図である。
【図４】本発明に係るテレビ受像機の映像処理装置でフォーマット変換後の映像信号をＤ／Ａ変換する回路構成の他の実施形態を示す回路構成ブロック図である。
【図５】本発明に係るテレビ受像機の映像処理装置でフォーマット変換する前の映像信号をＡ／Ｄ変換する回路構成の他の実施形態を示す回路構成ブロック図である。
【図６】従来の文字多重内蔵のテレビ受像機の映像処理装置を示す回路構成ブロック図である。
【図７】従来の文字多重内蔵ＨＤＴＶ受像機のフォーマット変換装置を示す回路構成ブロック図である。
【図８】従来のテレビ受像機のフォーマット変換装置を示す回路構成ブロック図である。
【符号の説明】
１１…第１の選択手段、１２…第２の選択手段、１３…ディジタル信号処理手段、１４…メモリ手段、１０６…色復調手段、１０７…マルチプレクサ、１０８、１０９…Ａ／Ｄ変換手段、１１２〜１１４…Ｄ／Ａ変換手段、１１５…マトリクス手段、１１６…ＲＧＢスイッチ手段、１１８〜１２０…Ａ／Ｄ変換手段、１２３〜１２５…Ｄ／Ａ変換手段。
【図１】
0003825856.tif 000002
【図２】
0003825856.tif 000003
【図３】
0003825856.tif 000004
【図４】
0003825856.tif 000005
【図５】
0003825856.tif 000006
【図６】
0003825856.tif 000007
【図７】
0003825856.tif 000008
【図８】
0003825856.tif 000009